(57)【要約】  ユーザの熟練度に依ることなく、解析対象を過去の解析事例に基づき容易に部分形状に分割可能とする解析支援システム及び解析支援方法を提供する。  解析支援システム１は、複数の電子端末装置３ａ〜３ｄとネットワーク４を介して接続される解析支援装置２を有する。解析支援装置２は、過去の解析事例を複数蓄積する事例データベース２１と、事例データベース２１を検索する事例検索部２６を備え、事例検索部２６は、事例データベース２６を検索し、電子端末装置から受信される解析対象に類似する過去の解析事例を抽出し、抽出された過去の解析事例における、解析時間と部分形状サイズの組み合わせ、及び／又は解析時間と解析モデル化時の形状類似度の組み合わせのヒストグラムを生成し、当該ヒストグラムを電子端末装置の表示部３４に表示する。
2017033277.tif 000002
【特許請求の範囲】
【請求項１】
少なくとも１つ以上の電子端末装置とネットワークを介して接続される解析支援装置を有する解析支援システムであって、
前記解析支援装置は、
過去の解析事例を複数蓄積する事例データベースと、
前記事例データベースを検索する事例検索部を備え、
前記事例検索部は、前記事例データベースを検索し、前記電子端末装置から前記ネットワークを介して受信される解析対象に類似する過去の解析事例を抽出し、前記抽出された過去の解析事例における、解析時間と部分形状サイズの組み合わせ、及び／又は解析時間と解析モデル化時の形状類似度の組み合わせのヒストグラムを生成し、当該ヒストグラムを前記電子端末装置の表示部に表示することを特徴とする解析支援システム。
【請求項２】
請求項１に記載の解析支援システムにおいて、
前記事例データベースは、少なくとも、解析対象の名称、解析対象の形状パラメータ、解析モデルを構成する部分形状数及び解析時間を紐付けて過去の解析事例毎に格納し、
前記解析支援装置は、更に、前記ネットワークを介して受信された解析対象の体積及び／又は表面積を含む形状パラメータを算出する解析対象形状パラメータ算出部を備え、
前記事例検索部は、前記解析対象形状パラメータ算出部により得られた形状パラメータに基づき前記事例データベースを検索することを特徴とする解析支援システム。
【請求項３】
請求項２に記載の解析支援システムにおいて、
前記解析モデルは複数の部分形状より構成され、前記部分形状は四面体要素である三角錐又は五面体要素である三角柱を含む三次元要素であることを特徴とする解析支援システム。
【請求項４】
請求項３に記載の解析支援システムにおいて、
前記形状類似度は、前記ネットワークを介して受信された解析対象の体積及び／又は表面積を含む形状パラメータと、前記解析対象を複数の部分形状に分割後の解析モデルの体積及び／又は表面積を含む形状パラメータとの類似度であることを特徴とする解析支援システム。
【請求項５】
請求項４に記載の解析支援システムにおいて、
前記電子端末装置の表示部は、少なくとも、部分形状の種別、部分形状のサイズ、形状類似度及び解析時間のうち何れか１つを検索条件として指定可能な第１表示領域と、前記解析対象を表示する第２表示領域を有することを特徴とする解析支援システム。
【請求項６】
請求項５に記載の解析支援システムにおいて、
前記解析支援装置は、更に、分析部を備え、
前記事例検索部は、前記第１表示領域にて前記部分形状の種別及び前記部分形状のサイズ並びに前記解析時間が検索条件として指定された場合、当該検索条件を満たす過去の解析事例を前記事例データベースより抽出し、
前記分析部は、前記事例検索部により抽出された前記検索条件を満たす過去の解析事例に対し、前記指定された解析時間及び部分形状サイズ毎に対応する過去の解析事例数を集計し、前記解析時間と部分形状サイズの組み合わせのヒストグラムを生成することを特徴とする解析支援システム。
【請求項７】
請求項５に記載の解析支援システムにおいて、
前記解析支援装置は、更に、分析部を備え、
前記事例検索部は、前記第１表示領域にて前記部分形状の種別及び前記形状類似度並びに前記解析時間が検索条件として指定された場合、当該検索条件を満たす過去の解析事例を前記事例データベースより抽出し、
前記分析部は、前記事例検索部により抽出された前記検索条件を満たす過去の解析事例に対し、前記指定された解析時間及び形状類似度毎に対応する過去の解析事例数を集計し、前記解析時間と形状類似度の組み合わせのヒストグラムを生成することを特徴とする解析支援システム。
【請求項８】
請求項６に記載の解析支援システムにおいて、
前記電子端末装置の表示部は、前記分析部により生成された前記解析時間と部分形状サイズの組み合わせのヒストグラムを表示する第３表示領域を有し、
前記第３表示領域に表示される複数のヒストグラムのうち、所望のヒストグラムを選択可能とすることを特徴とする解析支援システム。
【請求項９】
請求項７に記載の解析支援システムにおいて、
前記電子端末装置の表示部は、前記分析部により生成された前記解析時間と形状類似度の組み合わせのヒストグラムを表示する第３表示領域を有し、
前記第３表示領域に表示される複数のヒストグラムのうち、所望のヒストグラムを選択可能とすることを特徴とする解析支援システム。
【請求項１０】
少なくとも１つ以上の電子端末装置からネットワークを介して解析対象を解析支援装置に受信する解析対象入力工程と、
前記受信された解析対象に類似する過去の解析事例を、複数の過去の解析事例を蓄積する事例データベースを検索し抽出する事例検索工程と、
前記抽出された過去の解析事例における、解析時間と部分形状サイズの組み合わせ、及び／又は、解析時間と解析モデル化時の形状類似度の組み合わせのヒストグラムを前記解析支援装置が生成する工程と、
前記生成された、解析時間と部分形状サイズの組み合わせ、及び／又は解析時間と解析モデル化時の形状類似度の組み合わせのヒストグラムを、前記電子端末装置の表示部に表示する工程と、を有することを特徴とする解析支援方法。
【請求項１１】
請求項１０に記載の解析支援方法において、
前記事例データベースは、少なくとも、解析対象の名称、解析対象の形状パラメータ、解析モデルを構成する部分形状数及び解析時間を紐付けて過去の解析事例毎に格納し、
前記ネットワークを介して受信された解析対象の体積及び／又は表面積を含む形状パラメータを算出する解析対象形状パラメータ算出工程を備え、
前記事例検索工程は、前記算出された形状パラメータに基づき前記事例データベースを検索することを特徴とする解析支援方法。
【請求項１２】
請求項１１に記載の解析支援方法において、
前記解析モデルは複数の部分形状から構成され、前記部分形状は四面体要素である三角錐又は五面体要素である三角柱を含む三次元要素であることを特徴とする解析支援方法。
【請求項１３】
請求項１２に記載の解析支援方法において、
前記形状類似度は、前記ネットワークを介して受信された解析対象の体積及び／又は表面積を含む形状パラメータと、前記解析対象を複数の部分形状に分割後の解析モデルの体積及び／又は表面積を含む形状パラメータとの類似度であることを特徴とする解析支援方法。
【請求項１４】
請求項１３に記載の解析支援方法において、
前記電子端末装置の表示部に、少なくとも、部分形状の種別、部分形状のサイズ、形状類似度及び解析時間のうち何れか１つを検索条件として指定可能な第１表示領域と、前記解析対象を表示する第２表示領域とを表示する工程を備えることを特徴とする解析支援方法。
【請求項１５】
請求項１４に記載の解析支援方法において、
前記事例検索工程は、前記第１表示領域にて前記部分形状の種別及び前記部分形状のサイズ並びに前記解析時間が検索条件として指定された場合、当該検索条件を満たす過去の解析事例を前記事例データベースより抽出し、
前記解析支援装置がヒストグラムを生成する工程は、前記抽出された前記検索条件を満たす過去の解析事例に対し、前記指定された解析時間及び部分形状サイズ毎に対応する過去の解析事例数を集計し、前記解析時間と部分形状サイズの組み合わせのヒストグラムを生成することを特徴とする解析支援方法。
【請求項１６】
請求項１４に記載の解析支援方法において、
前記事例検索工程は、前記第１表示領域にて前記部分形状の種別及び前記形状類似度並びに前記解析時間が検索条件として指定された場合、当該検索条件を満たす過去の解析事例を前記事例データベースより抽出し、
前記解析支援装置がヒストグラムを生成する工程は、前記抽出された前記検索条件を満たす過去の解析事例に対し、前記指定された解析時間及び形状類似度毎に対応する過去の解析事例数を集計し、前記解析時間と形状類似度の組み合わせのヒストグラムを生成することを特徴とする解析支援方法。
【発明の詳細な説明】
【技術分野】
【０００１】
本発明は、ＣＡＤを用いた解析支援システムに係り、特に、解析対象の解析処理におけるユーザの労力軽減或いは操作性を向上し得る解析支援システム及び解析支援方法に関する。
【背景技術】
【０００２】
通常の解析処理は、ＣＡＤにより形状モデルを生成し、複数の部分形状から構成されるメッシュすなわち解析モデル（メッシュモデル）に変換・分割し、解析解を求める解析プログラムを実行することで実現している。ユーザが未熟練者或いは、例え、熟練者であっても初めて解析を行う形状の場合、如何にメッシュを設定するか困難となる。そこで、類似の事例を検索・提示する方法として、例えば、特許文献１が提案されている。  
特許文献１には、検索時に、ユーザによりキーワードにて入力される、等分布荷重と集中荷重等の荷重条件、及び、辺支持と辺固定等の拘束条件に加え、解析事例データベースに格納される「関連度」に基づき、関連性の高い過去の解析事例を連鎖的に表示する構成が開示されている。上記解析事例データベースに格納される「関連度」は、解析事例データベースへの事例登録時に、ユーザにより任意に設定される値である。
【先行技術文献】
【特許文献】
【０００３】
【特許文献１】特開２０１１−２２７６５０号公報
【発明の概要】
【発明が解決しようとする課題】
【０００４】
しかしながら特許文献１では、「関連度」はユーザの主観、すなわちユーザに依存する構成であるため、共用される解析事例データベースにおいて、解析事例毎に付与される「関連度」にばらつきが生じ、検索結果の信頼性の低下を招く恐れがある。【０００５】
そこで、本発明は、ユーザの熟練度に依ることなく、解析対象を過去の解析事例に基づき容易に部分形状に分割可能とする解析支援システム及び解析支援方法を提供することにある。
【課題を解決するための手段】
【０００６】
上記課題を解決するため、本発明の解析支援システムは、少なくとも１つ以上の電子端末装置とネットワークを介して接続される解析支援装置を有する解析支援システムであって、前記解析支援装置は、過去の解析事例を複数蓄積する事例データベースと、前記事例データベースを検索する事例検索部を備え、前記事例検索部は、前記事例データベースを検索し、前記電子端末装置から前記ネットワークを介して受信される解析対象に類似する過去の解析事例を抽出し、前記抽出された過去の解析事例における、解析時間と部分形状サイズの組み合わせ、及び／又は解析時間と解析モデル化時の形状類似度の組み合わせのヒストグラムを生成し、当該ヒストグラムを前記電子端末装置の表示部に表示することを特徴とする。【０００７】
また本発明の解析支援方法は、少なくとも１つ以上の電子端末装置からネットワークを介して解析対象を解析支援装置に受信する解析対象入力工程と、前記受信された解析対象に類似する過去の解析事例を、複数の過去の解析事例を蓄積する事例データベースを検索し抽出する事例検索工程と、前記抽出された過去の解析事例における、解析時間と部分形状サイズの組み合わせ、及び／又は、解析時間と解析モデル化時の形状類似度の組み合わせのヒストグラムを前記解析支援装置が生成する工程と、前記生成された、解析時間と部分形状サイズの組み合わせ、及び／又は、解析時間と解析モデル化時の形状類似度の組み合わせのヒストグラムを、前記電子端末装置の表示部に表示する工程と、を有することを特徴とする。
【発明の効果】
【０００８】
本発明によれば、ユーザの熟練度に依ることなく、解析対象を過去の解析事例に基づき容易に部分形状に分割可能とする解析支援システム及び解析支援方法を提供することができる。【０００９】
上記した以外の課題、構成及び効果は、以下の実施形態の説明により明らかにされる。
【図面の簡単な説明】
【００１０】
【図１】本発明の一実施形態に係る解析支援システムの全体概略構成図である。
【図２】図１に示す解析支援装置の全体概略構成図である。
【図３】図１に示す電子端末装置の全体概略構成図である。
【図４】解析対象の形状及び部分形状に分割後の解析モデルの一例を示す図である。
【図５】図１に示す電子端末装置の画面表示例を示す図である。
【図６】図１に示す電子端末装置の画面表示例であって、検索結果の表示例を示す図である。
【図７】本発明の一実施例に係る実施例１の解析支援システムによる処理工程を示すフローチャートである。
【図８】図２に示す解析支援装置を構成する事例検索部及び分析部の処理工程を示すフローチャートである。
【図９】実施例１の電子端末装置の画面表示例であって、検索条件が入力された状態を示す図である。
【図１０】実施例１の電子端末装置の表示画面例であって、検索結果の表示例を示す図である。
【図１１】実施例１の電子端末装置の表示画面例であって、検索結果中の所望のヒストグラムが選択された状態を示す図である。
【図１２】実施例１の電子端末装置の表示画面例であって、選択されたヒストグラムに基づき得られた部分形状サイズが表示された状態を示す図である。
【図１３】本発明の他の実施例に係る実施例２の解析支援システムによる処理工程を示すフローチャートである。
【図１４】図２に示す解析支援装置を構成する事例検索部及び分析部の処理工程を示すフローチャートである。
【図１５】実施例２の電子端末装置の表示画面例であって、検索結果の表示例を示す図である。
【図１６】実施例２の電子端末装置の表示画面例であって、検索結果中の所望のヒストグラムが選択された状態を示す図である。
【図１７】実施例２の電子端末装置の表示画面例であって、選択されたヒストグラムに基づき得られた部分形状サイズが表示された状態を示す図である。
【発明を実施するための形態】
【００１１】
本明細書において、「解析対象」とは、例えば、３次元形状である円柱物体、円錐物体、円筒物体、或いは、三角錐物体等を示し、複数の部分形状に分割される対象であり、「部分形状」に分割後の複数の「部分形状」により解析モデルが構成され、解析モデルはメッシュモデルと称される場合もある。なお、以下、本明細書では、解析対象の一例として、簡略形状である、立方体及び円柱物体を示すが、実際には、「解析対象」として、例えば、プラント内の複雑な配管網、或いは、内燃機関を構成する各部品等、複雑な形状が解析の対象となることが多い。  
「解析領域」とは、解析すべき対象領域であって、複数の「解析対象」から構成される場合、或いは１つの「解析対象」全体、又は「解析対象」中の任意の一部領域の場合も含まれる。解析処理として、例えば、熱の分散解析或いは応力解析等が実行される。  
また、本明細書において「部分形状」とは、メッシュモデル（解析モデル）化した際の１つのメッシュ又は複数のメッシュである。
【００１２】
図１に、本発明の一実施形態に係る解析支援システムの全体概略構成図を示す。解析支援システム１は、サーバ等により実現される解析支援装置２、パーソナルコンピュータ等により実現される複数の電子端末装置３ａ〜３ｄ、及びこれらを相互に通信可能とするネットワーク４より構成される。なお、図１に示すように、電子端末装置３ｃは、後述する通信Ｉ／Ｆにより、スイッチ６及びルータ５を介してネットワーク４に接続される。また、同様に、電子端末装置３ｄは、通信Ｉ／Ｆによりスイッチ６及びルータ５を介してネットワーク４に接続されている。  
図２に、図１に示す解析支援装置の全体概略構成図を示す。図２に示すように、解析支援装置２は、過去の複数の解析事例を蓄積する事例データベース２１、ネットワーク４を介して各電子端末装置との通信を可能とする通信Ｉ／Ｆ２２、解析対象入力部２３、入力された解析対象の形状パラメータを算出する解析対象形状パラメータ算出部２４、検索条件設定部２５、事例検索部２６、分析部２７、及び分布出力／選択受付部２８を有し、これらは内部バス２９にて相互に接続されている。  
解析対象入力部２３、解析対象形状パラメータ算出部２４、検索条件設定部２５、事例検索部２６、分析部２７、及び分布出力／選択受付部２８は、例えば、ＣＰＵ等のプロセッサ、プログラムを格納するＲＯＭ、ＲＯＭより読み出されたプログラムをプロセッサが実行する過程のデータ等を一時的に格納するＲＡＭ等の記憶装置にて実現される。
【００１３】
事例データベース２１は、過去の解析事例を、例えば、「解析対象名称」、「形状パラメータ」、「解析時間」、「形状類似度」、「メッシュデータ」、「解析モデルを構成する部分形状数」、「図面」、「解析対象に含まれる部分形状種別」、「解析領域に含まれる解析対象数」、「解析処理内容」、及び「解析実施者」等を紐付けて過去の解析事例毎に格納する。  
ここで、「解析対象名称」とは、例えば、電動機又は発電機を構成するシャフト（回転軸）、プラントの給水配管と排水配管、或いは、内燃機関のピストン、シリンダ等である。また、「形状パラメータ」とは、解析対象の体積・面積、表面積、フラクタル次元（分割数）、解析対象の部位、解析領域のサイズ、部分形状サイズ及びアスペクト比等である。「形状類似度」とは、詳細後述する、解析対象と当該解析対象を複数の部分形状に分割後の解析モデルとの類似度、すなわち、解析対象と解析モデル化時の解析モデルとの類似度である。「解析実施者」とは、例えば、担当者名、当該担当者が所属する部署名等が含まれる。
【００１４】
解析対象入力部２３は、電子端末装置３ａ〜３ｄから入力される、例えば、ＣＡＤデータに含まれる解析対象を、ネットワーク４、通信Ｉ／Ｆ２２、及び内部バス２９を介して取り込む。取り込まれるＣＡＤデータに含まれる解析対象には、少なくとも、解析対象名称、解析対象の形状、解析対象のサイズ、及び解析領域が含まれる。解析対象形状パラメータ算出部２４は、内部バス２９を介して解析対象入力部２３より解析対象を取得し、当該解析対象の上述した形状パラメータを算出する。検索条件設定部２５は、ユーザにより電子端末装置（３ａ〜３ｄ）を用いて入力される検索条件を、ネットワーク４、通信Ｉ／Ｆ２２、及び内部バス２９を介して取得する。なお、詳細後述する電子端末装置（３ａ〜３ｄ）の表示画面上に表示される検索条件入力画面は、予め検索条件設定部２５より、ネットワーク４を介して各電子端末装置（３ａ〜３ｄ）へ、例えば、プロセスマイグレーション等により検索条件入力画面の表示プログラムを送信しても良く、また、各電子端末装置（３ａ〜３ｄ）が、検索条件入力画面の表示プログラムをプレインストールする形態としても良い。
【００１５】
事例検索部２６は、事例データベース２１を参照し、解析対象パラメータ算出部２４により算出された解析対象の形状パラメータ、及び、検索条件設定部２５により設定された検索条件に対応する過去の事例を事例データベース２１より抽出する。分析部２７は、事例検索部２６により抽出された複数の過去事例を、例えば、解析対象を複数の部分形状に分割し解析モデル化する際の、部分形状サイズ毎に集計（カウント）し、部分形状サイズと事例数との関係を求める。なお、これに限らず、例えば、事例検索部２６が、事例データベース２１を参照し、部分形状サイズ毎の過去の事例を抽出しつつ、その都度、部分形状サイズ毎に事例数を集計（カウント）する構成としても良い。この場合、事例データベース２１の参照、過去事例抽出、及び部分形状サイズ毎の事例数の集計（カウント）を実行するよう１つのプログラムに組み込めば良い。  
分布出力／選択受付部２８は、分析部２７より得られた上記部分形状サイズと事例数との関係を、ヒストグラム（分布）として、通信Ｉ／Ｆ２２及びネットワーク４を介して対応する電子端末装置（３ａ〜３ｄのうちの何れか）、すなわち、解析支援装置２へＣＡＤデータに含まれる解析対象を送信してきた電子端末装置へ出力する。なお、電子端末装置による表示された複数のヒストグラムの中から所望のヒストグラムの選択及び、選択されたヒストグラムの分布出力／選択受付部２８による取得については、後述する。
【００１６】
図３に、図１に示す電子端末装置の全体概略構成図を示す。図３では電子端末装置３ａ〜３ｄのうち、電子端末装置３ａのみを示すが、他の電子端末装置３ｂ〜３ｄも同様である。図３に示すように、電子端末装置３ａは、外部記憶用Ｉ／Ｆ３１、通信Ｉ／Ｆ３２、キーボードまたはマウス等の入力部３３、ＬＣＤまたは有機ＥＬディスプレイ等の表示部３４、演算部３５、ファイルアクセス部３６、記憶部３７、及びバッテリー部３８を有し、これらは内部バス３９にて相互に接続されている。  
演算部３５及びファイルアクセス部３６は、例えば、ＣＰＵ等のプロセッサ、プログラムを格納するＲＯＭ、ＲＯＭより読み出されたプログラムをプロセッサが実行する過程のデータ等を一時的に格納するＲＡＭ等の記憶装置にて実現される。
【００１７】
外部記憶用Ｉ／Ｆ３１は、図示しないポータブルＨＤＤ或いはＵＳＢ等の外部記憶装置を電子端末装置３ａへ挿抜可能とし、外部記憶装置へのデータの書き込みまたは外部記憶装置からのデータの読み出しを可能とする。バッテリー部３８は、電源及び二次電池等の電池を有し、記憶部３７には、少なくとも、ＣＡＤデータ等の図面データが格納されている。演算部３５は、解析処理の対象となるＣＡＤデータに含まれる解析対象を、通信Ｉ／Ｆ３２及びネットワーク４を介して解析支援装置２へ送信する処理を実行する。演算部３５は、上記の機能他、記憶部３７に格納される各種アプリケーションプログラムを読み出し実行する機能を有する。ファイルアクセス部３６は、演算部３５からの指令を、内部バス３９を介して取り込み、当該指令に対応して記憶部３７へアクセスし、解析対象を含むＣＡＤデータを抽出し、内部バス３９を介して演算部３５へ転送する。
【００１８】
ここで、解析対象と解析モデルとの関係について説明する。図４は、解析対象の形状及び部分形状に分割後の解析モデルの一例を示す図である。図４の左図に示すように、立方体である解析対象４７は、一辺が１０ｃｍの正六面体を２つ縦に積み重ねた形状を有する。図４の右図は、点線で示すように、左図に示す解析対象が、三辺が１０ｃｍ、残りの三辺が１０√２ｃｍからなる四面体要素（部分形状）であるテトラに分割され、解析モデル化された状態示している。
【００１９】
次に一例として、図４の左図に示す立方体である解析対象４７が、電子端末装置３ａ（図３）を構成する演算部３５により、通信Ｉ／Ｆ３２及びネットワーク４を介して解析支援装置２へ送信された場合を想定する。解析対象４７は、解析支援装置２（図２）を構成する解析対象入力部２３へ、通信Ｉ／Ｆ２２及び内部バス２９を介して取り込まれる。取り込まれた解析対象４７は、内部バス２９を介して解析対象形状パラメータ算出部２４へ転送される。解析対象形状パラメータ算出部２４は、取り込まれた解析対象４７が、一辺が１０ｃｍの正六面体を２つ縦に積み重ねた形状であることから、形状パラメータとして解析対象４７の体積、表面積及びフラクタル次元等を算出する。  
このとき、電子端末装置３ａを構成する表示部３４の表示画面上に表示される表示情報について説明する。図５は、電子端末装置３ａの画面表示例を示す図である。図５に示すように、電子端末装置３ａの表示画面４０は、検索条件入力領域（第１表示領域）４１、解析対象表示領域（第２表示領域）４２、部分形状表示領域（第３表示領域）４３、検索結果表示領域（第４表示領域）４４、及び実行ボタン４５を有する。解析対象表示領域（第２表示領域）４２には、一辺が１０ｃｍの正六面体を２つ縦に積み重ねた立方体である解析対象４７が表示されている。また、検索条件入力領域（第１表示領域）４１は、解析支援装置２を構成する事例データベース２１に蓄積される過去の解析事例を検索するための検索条件をユーザにより指定入力可能とする領域である。図５に示す例では、検索項目として、「部分形状種別」、「部分形状サイズ」、「部分形状数」（解析モデルを形成する部分形状の数）、「形状類似度」、及び「解析時間」が用意され、図５に示す状態では、ユーザにより、「部分形状種別」として“テトラ”、「部分形状サイズ」として“１〜１０ｃｍ”が指定入力された状態を示している。なお、「部分形状種別」の欄にはプルダウンボタンが設けられ、ユーザは、当該プルダウンボタンにより所望の部分形状を選択指定可能となっている。なお、プルダウンボタンによる選択項目に「空白セル」を設け、ユーザにより部分形状名称を直接入力可能な構成としても良い。部分形状表示領域（第３表示領域）４３は、部分形状としてユーザにより指定された“テトラ”のサイズ（部分形状サイズ）を表示する領域であり、解析支援装置２を構成する事例データベース２１の検索結果に基づいて、推奨サイズが表示される領域であり、その詳細は後述する。また、検索結果表示領域（第４表示領域）４４は、事例データベース２１の検索結果に基づくヒストグラムを表示する領域であり、図５に示す状態では、未表示の状態となっている。図５に示す状態で、ユーザにより「実行ボタン」４５の位置に、カーソルが移動され入力部３３であるマウスがクリックされると、検索条件入力領域（第１表示領域）４１に示す指定された検索条件が、演算部３５により、通信Ｉ／Ｆ３２及びネットワーク４を介して解析支援装置２へ送信される。
【００２０】
解析支援装置２を構成する検索条件設定部２５は、通信Ｉ／Ｆ２２及び内部バス２９を介して、ユーザにより指定された検索条件である、「部分形状種別」が“テトラ”、「部分形状サイズ」が“１〜１０ｃｍ”を取得する。検索条件設定部２５は、この取得された検索条件を、内部バス２９を介して事例検索部２６へ転送する。事例検索部２６は、この転送された検索条件及び、先に解析対象形状パラメータ算出部２４により算出された解析対象４７の形状パラメータである、解析対象４７の体積、表面積及びフラクタル次元を用いて、事例データベース２１を参照し検索を実行する。事例検索部２６は、上記検索対象４７の形状パラメータに基づき、上記検索条件を満たす過去の解析事例を複数抽出し、内部バス２９を介して分析部２７へ送信する。分析部２７は、事例検索部２６から送信された上記検索条件を満たす複数の過去の解析事例に対し、検索条件毎、ここでは、部分形状サイズ毎に解析事例数を集計し、部分形状サイズと事例数との関係であるヒストグラムを生成する。なお、本明細書では、通常、棒グラフで示されるヒストグラムを折れ線近似したものをヒストグラムと称する。  
分析部２７は、生成したヒストグラムを、内部バス２９を介して分布出力／選択受付部２８へ送信する。分布出力／選択受付部２８は、横軸を部分形状サイズ、縦軸を事例数とするヒストグラムを、検索結果として通信Ｉ／Ｆ２２及びネットワーク４を介し電子端末装置３ａへ送信する。
【００２１】
図６は、ネットワーク４を介し解析支援装置２より、検索結果であるヒストグラムを受信した時点における電子端末装置３ａの表示画面例である。図６に示すように、検索結果表示領域（第４表示領域）４４に、部分形状サイズが１〜１０ｃｍにおける事例数の分布であるヒストグラムが表示されている。図６に示す状態で、検索結果表示領域（第４表示領域）４４には、ヒストグラムに加え、ユーザによる選択指定を可能とする矩形状の選択用の指定バー（図中一点鎖線で示す）が表示される。ユーザは、入力部３３であるマウス等により選択用の指定バーをドラッグすることにより、ヒストグラム中の所望の領域を指定できる。図６に示す例では、事例数が最も多い部分形状サイズが５ｃｍの位置に選択用の指定バーが位置付けられ、部分形状表示領域（第３表示領域）４３に、部分形状が“テトラ”の部分形状サイズ５ｃｍが表示される。
【００２２】
本実施形態に係る解析支援システム１では、上述のように、ユーザにより指定された検索条件を満たす、過去の解析事例数のヒストグラムが、電子端末装置の画面上（検索結果表示領域（第４表示領域）４４）に表示されることから、例え、ユーザが未熟練者であっても、事例データベース２１に蓄積された過去の解析事例に基づき解析対象を容易に複数の部分形状に分割することが可能となる。
【００２３】
以下、図面を参照し、本発明の実施例について、解析支援システム１、解析支援システム１を構成する解析支援装置２及び電子端末装置（３ａ〜３ｄ）の詳細動作を説明する。
【実施例１】
【００２４】
図７は、本発明の一実施例に係る実施例１の解析支援システムによる処理工程を示すフローチャートであり、図８は、析支援装置を構成する事例検索部及び分析部の処理工程を示すフローチャートである。解析支援システム１の全体構成、解析支援システム１を構成する解析支援装置２及び電子端末装置（３ａ〜３ｄ）の全体構成は、上述の図１から図３にて説明した構成と同一である。本実施例では、「解析対象名称」が“電動機のシャフト（回転軸）”、「解析対象」が“円柱物体”である場合を一例とし、解析支援装置２と電子端末装置３ａとの間での処理を想定し、以下説明する。【００２５】
まず、図７に示す解析対象入力工程（ステップＳ１１）では、電子端末装置３ａ（図３）を構成する演算部３５は、ファイルアクセス部３６を介し記憶部３７にアクセスし、解析処理の対象となるＣＡＤデータに含まれる解析対象４８、すなわち、電動機のシャフト（回転軸）である円柱物体である解析対象４８を含むＣＡＤデータを取得する。その後、演算部３５は、通信Ｉ／Ｆ３２及びネットワーク４を介して解析支援装置２へ、円柱物体である解析対象４８を含むＣＡＤデータを送信する。解析支援装置２（図２）を構成する解析対象入力部２３は、通信Ｉ／Ｆ２２及び内部バス２９を介して、円柱物体である解析対象４８を含むＣＡＤデータを取得する。ここで、取得される円柱物体である解析対象４８を含むＣＡＤデータには、少なくとも、「解析対象名称」である“電動機のシャフト（回転軸）”、解析対象の形状である円柱物体、解析対象のサイズ、及び解析領域が含まれる。  
解析対象形状パラメータ算出工程（ステップＳ１２）では、解析形状パラメータ算出部２４は、内部バス２９を介して解析対象入力部２３より、円柱物体である解析対象４８を含むＣＡＤデータを取得する。解析形状パラメータ算出部２４は、円柱物体である解析対象４８のサイズ（寸法）に基づき、解析対象４８の体積、表面積及びフラクタル次元を形状パラメータとして算出し、内部バス２９を介して事例検索部２６へ送信し、次のステップＳ１３に進む。【００２６】
検索条件設定・受付工程（ステップＳ１３）では、まず、図９に示す電子端末装置３ａの表示部３３の表示画面４０内の検索条件入力領域（第１表示領域）４１へのユーザによる検索条件の指定入力を受け付ける。図９に示す例では、検索条件として、「部分形状種別」が“プリズム”、「部分形状サイズ」が“１〜１０ｃｍ”、及び「解析時間」が“１０〜３０分”が指定入力された状態を示している。また、図９に示すように、解析対象表示領域（第２表示領域）４２内に、解析対象４８である円柱物体が表示された状態を示ししている。ここで、説明を分かり易くするため、解析対象４８内に点線で示す五面体要素（部分形状）である三角柱のプリズムに分割され、解析モデル化された状態を示している。解析モデルは、４体のプリズムにより構成される。「形状類似度」とは、円柱物体である解析対象４８と、解析対象４８を複数の部分形状（４体のプリズム）に分割後の解析モデルとの類似度であり、例えば、解析対象４８の外表面形状と解析モデルの外表面形状との差分の指数αとして、以下の式（１）にて表される。  【００２７】
【数１】
2017033277.tif 000003
【００２８】
ここで、座標（ＸＳ，ＹＳ，ＺＳ）は解析対象４８の表面座標であり、座標（ＸＭ，ＹＭ，ＺＭ）は解析モデル（４体のプリズムにて構成される）の表面座標である。なお、形状類似度である指数αは、部分形状のサイズが小さくなるほど、小さくなる。すなわち、部分形状のサイズが小さければ、解析対象４８と解析モデルとの類似度は上昇する。また、逆に、部分形状のサイズが大きくなるほど、指数αは大きくなり、解析対象４８と解析モデルとの類似度は低下する。すなわち、「部分形状サイズ」と「形状類似度」とは反比例の関係にある。  
なお、形状類似度は、式（１）に示す指数αに限らず、解析対象４８と解析モデルとのずれ量を評価可能な演算式であれば、形状類似度の指標とし使用できる。但し、この場合、使用される形状類似度は統一化されたものであることが必要となる。【００２９】
図９に戻り、検索条件入力領域（第１表示領域）４１に指定入力された検索条件が図９に示す状態で、ユーザにより入力部３３であるマウスによりカーソルが実行ボタン４５上に移動されクリックされると、演算部３５は通信Ｉ／Ｆ３２及びネットワーク４を介して指定入力された検索条件を解析支援装置２へ送信する。解析支援装置２を構成する検索条件設定部２５は、通信Ｉ／Ｆ２２及び内部バス２９を介して、ユーザにより指定入力された検索条件を取得する。検索条件設定部２５は、「部分形状種別」が“プリズム”、「部分形状サイズ」が“１〜１０ｃｍ”、及び「解析時間」が“１０〜３０分”である検索条件を、内部バス２９を介して事例検索部２６へ転送し、図７に示すステップＳ１４へ進む。【００３０】
事例検索部２６はステップＳ１４の事例検索工程を実行し、分析部２７はステップＳ１５の事例分析工程を実行する。ここで、ステップＳ１４及びステップＳ１５の詳細について説明する。図８は、事例検索部２６及び分析２７の処理工程を示すフローチャートであって、図７に示すステップＳ１４及びステップＳ１５の詳細工程を示している。  
図８に示すように、事例検索部２６は、内部バス２９を介して過去の複数の解析事例を蓄積（格納）する事例データベース２１を参照する（ステップＳ１４１）。上述の通り、事例データベース２１は、過去の解析事例を、「解析対象名称」、「形状パラメータ」、「解析時間」、「形状類似度」、「メッシュデータ」、「解析モデルを構成する部分形状数」、「図面」、「解析対象に含まれる部分形状種別」、「解析領域に含まれる検索対象数」、「解析処理内容」、及び「解析実施者」等を紐付けて過去の解析事例毎に格納している。【００３１】
ステップＳ１４２では、事例検索部２６は、事例データベース２１内に格納される過去の解析事例の中から、「解析対象名称」が“電動機のシャフト（回転軸）”である事例を検索し、該当する過去の解析事例を抽出する。続いて、事例検索部２６は、ステップＳ１４２にて抽出された過去の解析事例の中から、円柱物体である解析対象４８の体積・表面積と類似する過去の解析事例を検索し、該当する過去の解析事例を抽出する。ここで、円柱物体である解析対象４８の体積・表面積は、上述の図７におけるステップＳ１２にて、解析形状パラメータ算出部２４により算出され、既に、事例検索部２６に送信されている。  
ステップＳ１４４では、事例検索部２６は、ステップＳ１４３にて抽出された過去の解析事例の中から、解析領域が類似する過去の解析事例を検索し、該当する過去の検索事例を抽出する。ここで、解析領域とは、上述の通り、解析すべき対象領域であって、複数の解析対象４８から構成される場合、或いは１つの解析対象４８の全体、または解析対象４８中の任意の一部領域の場合も含まれる。【００３２】
ステップＳ１４５では、事例検索部２６は、ステップＳ１４４で抽出された過去の解析事例の中から、解析領域に含まれる解析対象４８の数が類似する過去の解析事例を検索し、該当する過去の解析事例を抽出し、ステップＳ１４６へ進む。  
ステップＳ１４６では、事例検索部２６は、ステップＳ１４５で抽出された過去の解析事例の中から、検索条件である、「部分形状種別」が“プリズム”、「部分形状サイズ」が“１〜１０ｃｍ”、及び「解析時間」が“１０〜３０分”を満たす過去の解析事例を検索し、該当する過去の解析事例を抽出する。抽出された検索条件を満たす過去の解析事例は、事例検索部２６より内部バス２９を介して分析部２７へ送信される。【００３３】
ステップＳ１５１では、分析部２７は、事例検索部２６により抽出された検索条件を満たす過去の解析事例に対し、検索条件毎に部分形状サイズの事例数を集計する。このとき、解析時間の事例数も併せて集計する。  
ステップＳ１５２では、分析部２７は、ステップＳ１５１にて得られた事例数の集計結果に基づき、解析時間と部分形状サイズとの組み合わせ及び、事例数の関係を示すヒストグラムを生成する。【００３４】
なお、図８中のステップＳ１４５は、仮に、電子端末装置３ａから解析支援装置２へ送信される解析領域が、１つの解析対象４８の全体または解析対象４８中の任意の一部領域の場合には、スキップされる。すなわち、ステップＳ１４４を実行した後、ステップＳ１４６が実行される。また、本実施例では、ステップＳ１４３〜ステップＳ１４５までを事例検索部２６がシリアルに実行する場合を示したが、これに限られるものではない。例えば、事例検索部２６が、ステップＳ１４３、ステップＳ１４４、及びステップＳ１４５をパラレルに実行する構成としても良い。但し、この場合、ステップＳ１４３〜ステップＳ１４５をパラレルに実行し得られた過去の解析事例のアンド（論理積）を取った後、ステップＳ１４６に進む構成とすることが望ましい。【００３５】
ここで、図７に戻り、解析時間と部分形状サイズの組み合わせと、事例数のヒストグラム表示工程（ステップＳ１６）について説明する。ステップＳ１６では、ステップＳ１５の実行結果、すなわち、上述の図８に示すステップＳ１５２により得られた、解析時間と部分形状サイズとの組み合わせ及び、事例数の関係を示すヒストグラムを、分析部２７より内部バス２９を介して分布出力／選択受付部２８が受信する。分布出力／選択受付部２８は、通信Ｉ／Ｆ２２及びネットワーク４を介して電子端末装置３ａへ、解析時間と部分形状サイズとの組み合わせ及び、事例数の関係を示すヒストグラムを出力する。電子端末装置３ａは、通信Ｉ／Ｆ３２を介して、受信された、解析時間と部分形状サイズとの組み合わせ及び、事例数の関係を示すヒストグラムを表示部３４に表示する。図１０は、このときの電子端末装置３ａの表示部３４の表示画面例を示している。図１０に示すように、表示画面４０中の検索結果表示領域（第４表示領域）４４には、Ｘ軸を部分形状サイズ、Ｙ軸を解析時間、Ｚ軸を事例数とする複数のヒストグラムが表示される。表示される複数のヒストグラムの頂部を結ぶ点線は、各ヒストグラムにおいて事例数が最も多い部分形状サイズを示しており、図中、手前に位置するヒストグラムほど解析時間は短い。換言すれば、手前に位置するヒストグラムほど解析速度が速い。このように、各ヒストグラムが表示されることにより、ユーザが未熟練者或いは、例え、熟練者であっても初めて解析を行う形状の場合であっても、解析時間と部分形状サイズとの組み合わせ、及び過去の解析事例数との関係を一目で把握することが可能となり、解析モデル化時のユーザの労力を低減できる。  
最も手前に位置するヒストグラムに対応する部分形状サイズ（最も大きい部分形状サイズ）では、解析時間は、例えば約１０分程度であり、手前から２つ目のヒストグラムに対応する部分形状サイズでは、解析時間は約１０分〜１２分程度である。なお、図１０に示す状態で、検索結果表示領域（第４表示領域）４４には、ヒストグラムに加え、ユーザによる選択指定を可能とする矩形状の選択用の指定バー（図中一点鎖線で示す）が表示される。【００３６】
続いて、図７に示すステップＳ１７では、電子端末装置３ａを構成する演算部３５は、表示画面中の検索結果表示領域（第４表示領域）に表示される、解析時間と部分形状サイズとの組み合わせ及び、事例数の関係を示すヒストグラムに対し、ユーザによる特定のヒストグラムへの選択入力の有無を判定する。この選択入力の有無の判定は、ユーザによる特定のヒストグラムへの選択入力が有るまで繰り返し実行される。図１１に示すように、ユーザにより、マウス等により検索結果表示領域（第４表示領域）に表示される選択用の指定バーが移動され、所望のヒストグラムが選択されると、画面上で対応するヒストグラムのみが、例えば、他のヒスとグラムと異なる色にて表示、ハイライト表示或はブリンク表示される。図１１に示す例では、最も手前に位置するヒストグラムが選択された状態を示している。なお、本実施例では、選択用の指定バーは説明を分かり易くするために幅を有する形状を一例として示したものであり、必ずしも幅を有する形状とする必要はなく、また、単に、カーソルを所望のヒストグラムに移動させ、クリックすることで選択する構成としても良い。  
演算部３５は、図１１に示すように最も手前に位置するヒストグラムに対するユーザによる選択入力を検出すると、当該選択されたヒストグラムを特定する情報を、通信Ｉ／Ｆ３２及びネットワーク４を介して、解析支援装置２へ送信する。【００３７】
ステップＳ１８では、解析支援装置２を構成する分布出力／選択受付部２８は、通信Ｉ／Ｆ２２及び内部バス２９を介して、上記選択されたヒストグラムを特定する情報を取得し、当該選択されたヒストグラムに基づき、部分形状サイズを求める。分布出力／選択受付部２８は、求めた部分形状サイズである“５ｃｍ”を通信Ｉ／Ｆ２２及びネットワーク４を介して電子端末装置３ａへ送信する。電子端末装置３ａは、解析支援装置２より部分形状サイズを受信すると、図１２に示すように、表示部３４の表示画面４０中の部分形状表示領域（第３表示領域）４３に、部分形状である“プリズム”の部分形状サイズとして“５ｃｍ”を表示する。【００３８】
なお、本実施例では、電子端末装置３ａの表示画面４０中の検索条件入力領域（第１表示領域）４１に表示される検索項目である「部分形状サイズ」の単位を「ｃｍ」、検索項目である「解析時間」の単位を「分」としたがこれに限られない。例えば、「部分形状サイズ」の単位を「ｍｍ」、「解析時間」の単位を「時間」としても良い。  
また、これらの単位が混在した状態であっても構わない、この場合、事例検索部２６が事例データベース２１を検索する際に、各検索項目である「部分形状サイズ」及び「解析時間」の単位を統一（変換）すれば良い。【００３９】
上述の図７に示したステップＳ１８以降の処理については、例えば、電子端末装置の表示画面４０上において、得られた部分形状サイズにより解析対象が分割された解析モデル、すなわち、メッシュモデルが生成され画面上に表示される。また、当該画面上に表示された解析モデルに対し、その後、ユーザにより、部分形状毎に所望の部分形状のサイズを修正するよう構成しても良い。  
なお、本実施例では、図７に示すステップＳ１８までの処理、すなわち、得られた部分形状サイズを数値として、電子端末装置の表示画面４０上に表示する構成としたが、必ずしもこれに限られるものではない。例えば、図７のステップＳ１６までの処理に止めても良い。この場合においても、解析対象に対し過去に最も多く行われた部分形状への分割の設定を、ユーザが知り得るからである。【００４０】
上述の通り、本実施例によれば、ユーザの熟練度に依ることなく、解析対象を過去の解析事例に基づき容易に部分形状に分割することが可能となる。
また、過去の解析事例の抽出におけるユーザの労力が軽減されると共に、最適な過去の解析事例を抽出することが可能となる。
【実施例２】
【００４１】
図１３に本発明の他の実施例に係る実施例２の解析支援システムによる処理工程を示すフローチャートを示し、図１４に解析支援装置を構成する事例検索部及び分析部の処理工程を示すフローチャートを示す。実施例１に示した構成と同一の構成要素に同一の符号を付し、以下では重複する説明を省略する。本実施例では、解析時間と形状類似度の組み合わせ、及び過去の解析事例数のヒストグラムを生成する点が実施例１と異なる。  
本実施例においても、解析支援システム１の全体構成、解析支援システム１を構成する解析支援装置２及び電子端末装置（３ａ〜３ｄ）の全体構成は、上述の図１から図３にて説明した構成と同一である。また、「解析対象名称」が“電動機のシャフト（回転軸）”、「解析対象」が“円柱物体”である場合を一例とし、解析支援装置２と電子端末装置３ａとの間での処理を想定し、以下説明する。【００４２】
図１３に示す解析対象入力工程（ステップＳ１１）及び解析対象形状パラメータ算出工程（ステップＳ１２）は、実施例１と同様である。  
検索条件設定・受付工程（ステップＳ１３）では、まず、電子端末装置３ａの表示部３４の表示画面４０内の検索条件入力領域（第１表示領域）４１へのユーザによる検索条件の指定入力を受け付ける。本実施例では、検索条件として、「部分形状種別」が“プリズム”、「形状類似度」が“６０〜１００％”、及び「解析時間」が“１０〜３０分”が指定入力された場合を例に説明する。  
事例検索部２６が実行するステップＳ１４（事例検索工程）及び分析部２７が実行するステップＳ１５（事例分析工程）の詳細を、図１４に示す。図１４に示すステップＳ１４１〜ステップＳ１４５は、上述の実施例１と同様である。【００４３】
ステップＳ１４６では、事例検索部２６は、ステップＳ１４５で抽出された過去の解析事例の中から、検索条件である、「部分形状種別」が“プリズム”、「形状類似度」が“６０〜１００％”、及び「解析時間」が“１０〜３０分”を満たす過去の解析事例を検索し、該当する過去の解析事例を抽出する。抽出された検索条件を満たす過去の解析事例は、事例検索部２６より内部バス２９を介して分析部２７へ送信される。  
ステップＳ１５１’では、分析部２７は、事例検索部２６により抽出された検索条件を満たす過去の解析事例に対し、検索条件毎に形状類似度の事例数を集計する。このとき、解析時間の事例数も併せて集計する。  
ステップＳ１５２’では、分析部２７は、ステップＳ１５１’にて得られた事例数の集計結果に基づき、解析時間と形状類似度との組み合わせ及び、事例数の関係を示すヒストグラムを生成する。【００４４】
なお、図１４中のステップＳ１４５は、仮に、電子端末装置３ａから解析支援装置２へ送信される解析領域が、１つの解析対象４８の全体または解析対象４８中の任意の一部領域の場合には、スキップされる。すなわち、ステップＳ１４４を実行した後、ステップＳ１４６が実行される。また、本実施例では、ステップＳ１４３〜ステップＳ１４５までを事例検索部２６がシリアルに実行する場合を示したが、これに限られるものではない。例えば、事例検索部２６が、ステップＳ１４３、ステップＳ１４４、及びステップＳ１４５をパラレルに実行する構成としても良い。但し、この場合、ステップＳ１４３〜ステップＳ１４５をパラレルに実行し得られた過去の解析事例のアンド（論理積）を取った後、ステップＳ１４６に進む構成とすることが望ましい。【００４５】
ここで、図１３に戻り、解析時間と形状類似度の組み合わせと、事例数のヒストグラム表示工程（ステップＳ１６’）について説明する。ステップＳ１６’では、ステップＳ１５の実行結果、すなわち、上述の図１４に示すステップＳ１５２’により得られた、解析時間と形状類似度との組み合わせ及び、事例数の関係を示すヒストグラムを、分析部２７より内部バス２９を介して分布出力／選択受付部２８が受信する。分布出力／選択受付部２８は、通信Ｉ／Ｆ２２及びネットワーク４を介して電子端末装置３ａへ、解析時間と形状類似度の組み合わせ及び、事例数の関係を示すヒストグラムを出力する。電子端末装置３ａは、通信Ｉ／Ｆ３２を介して、受信された、解析時間と形状類似度との組み合わせ及び、事例数の関係を示すヒストグラムを表示部３４に表示する。図１５は、このときの電子端末装置３ａの表示部３４の表示画面例を示している。図１５に示すように、表示画面４０中の検索結果表示領域（第４表示領域）４４には、Ｘ軸を形状類似度、Ｙ軸を解析時間、Ｚ軸を事例数とする複数のヒストグラムが表示される。表示される複数のヒストグラムの頂部を結ぶ点線は、各ヒストグラムにおいて事例数が最も多い形状類似度を示しており、図中、手前に位置するヒストグラムほど解析時間は短い。換言すれば、手前に位置するヒストグラムほど解析速度が速い。このように、形状類似度が高いほど部分形状サイズは小さくなるため、解析時間は長くなる（解析速度は遅くなる）。従って、形状類似度と解析時間は比例関係にある。  
また、図１５に示すように、電子端末装置３ａの表示部３３の表示画面４０内の検索条件入力領域（第１表示領域）４１には、検索条件として、「部分形状種別」が“プリズム”、「形状類似度」が“６０〜１００％”、及び「解析時間」が“１０〜３０分”が指定入力されている。通常、解析対象が複雑な形状となるほど解析精度を設定することは困難となる。従って、本実施例では、この点に着目し、解析精度に替えて、解析対象と形状モデル化時における解析モデルとの類似度である形状類似度を、ユーザが設定し得る構成とすることで、解析精度に近似した状態で、過去の解析事例に基づく解析モデルの設計を可能としたものである。  
このように、各ヒストグラムが表示されることにより、ユーザが未熟練者或いは、例え、熟練者であっても初めて解析を行う形状の場合であっても、解析時間と形状類似度との組み合わせ、及び過去の解析事例数との関係を一目で把握することが可能となり、解析モデル化時のユーザの労力を低減できる。  
なお、図１５に示す状態で、検索結果表示領域（第４表示領域）４４には、ヒストグラムに加え、ユーザによる選択指定を可能とする矩形状の選択用の指定バー（図中一点鎖線で示す）が表示される。【００４６】
続いて、図１３に示すステップＳ１７では、電子端末装置３ａを構成する演算部３５は、表示画面中の検索結果表示領域（第４表示領域）に表示される、解析時間と形状類似度との組み合わせ及び、事例数の関係を示すヒストグラムに対し、ユーザによる特定のヒストグラムへの選択入力の有無を判定する。この選択入力の有無の判定は、ユーザによる特定のヒストグラムへの選択入力が有るまで繰り返し実行される。図１６に示すように、ユーザにより、マウス等により検索結果表示領域（第４表示領域）に表示される選択用の指定バーが移動され、所望のヒストグラムが選択されると、画面上で対応するヒストグラムのみが、例えば、他のヒスとグラムと異なる色にて表示、ハイライト表示或はブリンク表示される。図１６に示す例では、手前から３つ目のヒストグラムが選択された状態を示している。なお、本実施例では、選択用の指定バーは説明を分かり易くするために幅を有する形状を一例として示したものであり、必ずしも幅を有する形状とする必要はなく、また、単に、カーソルを所望のヒストグラムに移動させ、クリックすることで選択する構成としても良い。  
演算部３５は、図１６に示すように手前から３番目に位置するヒストグラムに対するユーザによる選択入力を検出すると、当該選択されたヒストグラムを特定する情報を、通信Ｉ／Ｆ３２及びネットワーク４を介して、解析支援装置２へ送信する。【００４７】
ステップＳ１８では、解析支援装置２を構成する分布出力／選択受付部２８は、通信Ｉ／Ｆ２２及び内部バス２９を介して、上記選択されたヒストグラムを特定する情報を取得し、当該選択されたヒストグラムに基づき、形状類似度を求める。分布出力／選択受付部２８は、求めた形状類似度である“８０％”を通信Ｉ／Ｆ２２及びネットワーク４を介して電子端末装置３ａへ送信する。電子端末装置３ａは、解析支援装置２より形状類似度を受信すると、図１７に示すように、表示部３４の表示画面４０中の部分形状表示領域（第３表示領域）４３に、部分形状である“プリズム”の形状類似度として“８０％”を表示する。【００４８】
上述の図１３に示したステップＳ１８以降の処理については、例えば、電子端末装置の表示画面４０上において、得られた形状類似度に対応する過去の解析事例の部分形状サイズにより解析対象が分割された解析モデル、すなわち、メッシュモデルが生成され画面上に表示される。また、当該画面上に表示された解析モデルに対し、その後、ユーザにより、部分形状毎に所望の部分形状のサイズを修正するよう構成しても良い。  
なお、本実施例では、図１３に示すステップＳ１８までの処理、すなわち、得られた形状類似度を数値として、電子端末装置の表示画面４０上に表示する構成としたが、必ずしもこれに限られるものではない。例えば、図１３のステップＳ１６までの処理に止めても良い。この場合においても、解析対象に対し過去に最も多く行われた部分形状への分割の設定を、ユーザが知り得るからである。【００４９】
本来、解析モデルは、熱の分散解析或いは応力解析等に用いられるものであり、要求精度は高い。解析精度と解析時間はトレードオフの関係にあり、上述のように解析精度の設定は困難である。本実施例によれば、実施例１の効果に加え、形状類似度を導入することで、形状類似度と解析時間のトレードオフを、ユーザが電子端末装置の表示画面４０上で判断し、形状の異なる解析対象に対しそれぞれ設定することが可能となる。また、形状類似度の設定は、視覚化された状態で指定でき、且つ、過去の事例に基づき設定できることから、未熟練者であっても容易に設定することが可能となる。【００５０】
なお、上述の実施例１では、解析時間と部分形状サイズとの組み合わせ及び、事例数の関係を示すヒストグラムを、電子端末装置の表示画面上に表示する構成とし、実施例２では、解析時間と形状類似度の組み合わせ及び、事例数のヒストグラムを、電子端末装置の表示画面上に表示する構成とした。しかし、これに限られず、例えば、解析時間と部分形状サイズとの組み合わせ及び、事例数の関係を示すヒストグラム、並びに、解析時間と形状類似度の組み合わせ及び、事例数の関係を示すヒストグラムを、電子端末装置の表示画面上の同一の表示領域或は異なる表示領域に表示するよう構成しても良い。【００５１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の実施例の構成の追加・削除・置換をすることが可能である。
【符号の説明】
【００５２】
１…解析支援システム，２…解析支援装置，３ａ，３ｂ，３ｃ，３ｄ…電子端末装置，４…ネットワーク，５…ルータ，６…スイッチ，２１…事例データベース，２２…通信Ｉ／Ｆ２３…解析対象入力部２４…解析形状パラメータ算出部２５…検索条件設定部，２６…事例検索部２７…分析部，２８…分布出力／選択受付部，２９…内部バス，３１…外部記憶用Ｉ／Ｆ，３２…通信Ｉ／Ｆ３３…入力部３４…表示部，３５…演算部，３６…ファイルアクセス部３７…記憶部３８…バッテリー部３９…内部バス４０…表示画面４１…検索条件入力領域（第１表示領域）４２…解析対象表示領域（第２表示領域）４３…部分形状表示領域（第３表示領域），４４…検索結果表示領域（第４表示領域）４５…実行ボタン，４７，４８…解析対象
【図１】
2017033277.tif 000004
【図２】
2017033277.tif 000005
【図３】
2017033277.tif 000006
【図４】
2017033277.tif 000007
【図５】
2017033277.tif 000008
【図６】
2017033277.tif 000009
【図７】
2017033277.tif 000010
【図８】
2017033277.tif 000011
【図９】
2017033277.tif 000012
【図１０】
2017033277.tif 000013
【図１１】
2017033277.tif 000014
【図１２】
2017033277.tif 000015
【図１３】
2017033277.tif 000016
【図１４】
2017033277.tif 000017
【図１５】
2017033277.tif 000018
【図１６】
2017033277.tif 000019
【図１７】
2017033277.tif 000020
【国際調査報告】
2017033277.tif 000021
2017033277.tif 000022